(57)【要約】【課題】被写体における所望の特定対象物を、放射線画像情報から容易且つ確実に抽出し、又は、除去することを目的とする。【解決手段】放射線画像情報から抽出し又は除去する特定対象物に係る処理条件を処理条件選択部２６を用いて処理条件記憶部２４から選択し、処理条件に含まれる異なる２つの撮影条件を放射線源制御部１６に設定し、各撮影条件で放射線源１４を制御して放射線固体検出器１８に被写体１２の放射線画像情報を記録する。記録された各放射線画像情報は、画像処理部２０で処理条件に従った荷重減算処理が施され、特定対象物が抽出又は除去された後、表示部２８に表示される。【選択図】図１
2009077839.tif 000002
【特許請求の範囲】
【請求項１】
被写体に対してエネルギの異なる放射線を照射し、前記エネルギ毎に得られた複数の放射線画像情報を用いて特定対象物を抽出し、又は、前記特定対象物を除去する放射線画像処理装置において、
前記被写体に放射線を照射する放射線源と、
異なる撮影条件に従って前記放射線源を制御する放射線源制御部と、
前記被写体を透過した放射線を受け、放射線画像情報に変換する放射線変換パネルと、
前記特定対象物を抽出し、又は、前記特定対象物を除去するための前記撮影条件を含む処理条件を記憶する処理条件記憶部と、
前記特定対象物に対応する前記処理条件を前記処理条件記憶部より選択する処理条件選択部と、
選択された前記処理条件に従い、異なる前記撮影条件毎に前記放射線変換パネルから取得した前記放射線画像情報に対して画像処理を施す画像処理部と、
を備えることを特徴とする放射線画像処理装置。
【請求項２】
請求項１記載の装置において、
前記撮影条件は、前記特定対象物毎に設定される管電圧及び管電流に係る条件であることを特徴とする放射線画像処理装置。
【請求項３】
請求項１記載の装置において、
前記処理条件は、前記放射線変換パネルから取得した複数の前記放射線画像情報を荷重減算するための重み付け係数に係る条件であることを特徴とする放射線画像処理装置。
【請求項４】
被写体に対してエネルギの異なる放射線を照射し、前記エネルギ毎に得られた複数の放射線画像情報を用いて特定対象物を抽出し、又は、前記特定対象物を除去する放射線画像処理方法において、
前記特定対象物を抽出し、又は、前記特定対象物を除去するための撮影条件を含む処理条件を設定するステップと、
設定された異なる前記撮影条件に従って放射線源を制御し、前記被写体を介して放射線変換パネルに放射線を照射するステップと、
異なる前記撮影条件毎に前記放射線変換パネルから取得した前記放射線画像情報に対して、設定された前記処理条件による画像処理を施すステップと、
を含むことを特徴とする放射線画像処理方法。
【請求項５】
請求項４記載の方法において、
前記画像処理は、前記処理条件である重み付け係数を用いて、前記放射線変換パネルから取得した複数の前記放射線画像情報を荷重減算する処理であることを特徴とする放射線画像処理方法。
【発明の詳細な説明】
【技術分野】
【０００１】
本発明は、被写体に対してエネルギの異なる放射線を照射し、前記エネルギ毎に得られた複数の放射線画像情報を用いて特定対象物を抽出し、又は、前記特定対象物を除去する放射線画像処理装置及び処理方法に関する。
【背景技術】
【０００２】
例えば、医療分野においては、放射線源から放射線を被写体（患者）に照射し、被写体を透過した放射線を放射線変換パネルに導いて放射線画像情報に変換した後、所望の画像処理を施す放射線画像処理装置が広汎に使用されている。処理された放射線画像情報は、表示装置を用いて表示することで診断等に利用される。
【０００３】
なお、放射線変換パネルには、放射線を電荷情報に変換して蓄積し、電気信号として読み出すことのできる固体検出器や、放射線エネルギを蛍光体に蓄積し、レーザビーム等の励起光を照射することで、蓄積された放射線エネルギに応じて輝尽発光する蓄積性蛍光体パネル等がある。
【０００４】
このような放射線画像処理装置を用いて、被写体の関心領域、例えば、肋骨の下部に配置される心臓や肺等の軟部組織を抽出する方法が実用化されている。この方法は、肋骨等の骨部と心臓等の軟部組織とで放射線の吸収特性が異なることを利用し、被写体に対してエネルギの異なる放射線を照射することで、撮影条件の異なる２種類の放射線画像情報を取得し、これらの放射線画像情報の差分を所定の重み付けをして求めることにより、骨部又は軟部組織を抽出するものである。
【０００５】
ところで、被写体の組織は、その内部構造によって放射線の吸収特性が異なっており、関心領域の適切な画像を取得するためには、その特性を考慮した画像処理を施す必要がある。
【０００６】
そこで、特許文献１、２では、被写体に照射される放射線の線量を決める放射線源の管電圧と、放射線画像情報の差分を求める際の重み付け係数との関係を予め設定しておき、この関係を用いて骨部又は軟部組織を抽出するようにしている。また、特許文献３では、所定の撮影条件に基づく放射線を被写体に照射して第１放射線画像情報を取得した後、前記第１放射線画像情報を分析して得た情報に従って撮影条件を変更して第２放射線画像情報を取得し、これらの第１放射線画像情報及び第２放射線画像情報を用いて関心領域の画像を生成する方法を提案している。
【０００７】
【特許文献１】特開２００３−３７７７８号公報
【特許文献２】特開２００３−２４４５４２号公報
【特許文献３】特開２００２−３３０９５４号公報
【発明の開示】
【発明が解決しようとする課題】
【０００８】
しかしながら、特許文献１、２に係る技術では、関心領域に応じた適切な管電圧及び重み付け係数を設定するために、オペレータの十分な経験が必要である。また、関心領域は、あくまでも被写体の組織であって、それ以外の異物を抽出し、又は、除去することまでは考慮されていない。特許文献３の場合、第１放射線画像情報に基づき、第２放射線画像情報を取得するための撮影条件を算出しているため、第２放射線画像情報を取得する前に被写体が動いてしまうと、適切な放射線画像情報を得ることができなくなってしまう。
【０００９】
本発明は、このような課題を考慮してなされたものであり、被写体における所望の特定対象物を、放射線画像情報から容易且つ確実に抽出し、又は、除去することのできる放射線画像処理装置及び処理方法を提供することを目的とする。
【課題を解決するための手段】
【００１０】
本発明に係る放射線画像処理装置は、被写体に対してエネルギの異なる放射線を照射し、前記エネルギ毎に得られた複数の放射線画像情報を用いて特定対象物を抽出し、又は、前記特定対象物を除去する放射線画像処理装置において、
前記被写体に放射線を照射する放射線源と、
異なる撮影条件に従って前記放射線源を制御する放射線源制御部と、
前記被写体を透過した放射線を受け、放射線画像情報に変換する放射線変換パネルと、
前記特定対象物を抽出し、又は、前記特定対象物を除去するための前記撮影条件を含む処理条件を記憶する処理条件記憶部と、
前記特定対象物に対応する前記処理条件を前記処理条件記憶部より選択する処理条件選択部と、
選択された前記処理条件に従い、異なる前記撮影条件毎に前記放射線変換パネルから取得した前記放射線画像情報に対して画像処理を施す画像処理部と、
を備えることを特徴とする。
【００１１】
また、本発明に係る放射線画像処理方法は、被写体に対してエネルギの異なる放射線を照射し、前記エネルギ毎に得られた複数の放射線画像情報を用いて特定対象物を抽出し、又は、前記特定対象物を除去する放射線画像処理方法において、
前記特定対象物を抽出し、又は、前記特定対象物を除去するための撮影条件を含む処理条件を設定するステップと、
設定された異なる前記撮影条件に従って放射線源を制御し、前記被写体を介して放射線変換パネルに放射線を照射するステップと、
異なる前記撮影条件毎に前記放射線変換パネルから取得した前記放射線画像情報に対して、設定された前記処理条件による画像処理を施すステップと、
を含むことを特徴とする。
【発明の効果】
【００１２】
本発明によれば、被写体における所望の特定対象物に応じた撮影条件を含む処理条件を選択することで、前記特定対象物を放射線画像情報から容易且つ確実に抽出し、又は、除去することができる。
【発明を実施するための最良の形態】
【００１３】
図１は、本実施形態の放射線画像処理装置１０の構成ブロック図である。
【００１４】
放射線画像処理装置１０は、被写体１２に放射線Ｘを照射する放射線源１４と、設定された管電圧、管電流、照射時間等の撮影条件に基づいて放射線源１４を制御する放射線源制御部１６と、被写体１２を透過した放射線Ｘを電荷情報としての放射線画像情報に変換する放射線固体検出器１８（放射線変換パネル）と、放射線固体検出器１８によって検出された放射線画像情報に対して画像処理を施す画像処理部２０と、前記撮影条件を含む処理条件を図２に示す処理条件テーブル２２として記憶する処理条件記憶部２４と、処理条件記憶部２４から所望の放射線画像情報を得るための処理条件を選択する処理条件選択部２６と、画像処理部２０によって処理された放射線画像情報を表示する表示部２８と、表示部２８を制御する表示制御部３０とを備える。
【００１５】
ここで、画像処理部２０では、被写体１２に対してエネルギの異なる放射線Ｘを照射して得られる複数の放射線画像情報を荷重減算することで、被写体１２の特定対象物を抽出し、又は、特定対象物を除去する処理が行われる。荷重減算処理は、第１撮影条件で得られた放射線画像情報をＳ1、第２撮影条件で得られた放射線画像情報をＳ2、重み付け係数をαとして、画像処理後の放射線画像情報Ｓを、
Ｓ＝α・Ｓ1＋Ｓ2
として求める処理である。
【００１６】
なお、特定対象物を抽出又は除去した画像のコントラスト及び濃度を適切なものとするため、係数Ｋ1、Ｋ2、Ｋ3を用いて、画像処理後の放射線画像情報Ｓを、
Ｓ＝Ｋ1・Ｓ1＋Ｋ2・Ｓ2＋Ｋ3
として求めるようにしてもよい。この場合、係数Ｋ1、Ｋ2、Ｋ3は、特定対象物を抽出又は除去するための重み付け係数と画像の階調特性とによって決定される。
【００１７】
第１撮影条件（Ｓ1）、第２撮影条件（Ｓ2）及び重み付け係数αは、被写体１２の被曝線量を最小にすることを考慮した上で、特定対象物及び撮影部位に応じた図２に示す処理条件テーブル２２として設定される。第１撮影条件（Ｓ1）及び第２撮影条件（Ｓ2）は、放射線源１４に設定される管電圧及び管電流に係る条件である。また、処理条件Ａは、胸部における軟部組織を抽出する条件、処理条件Ｂは、胸部における骨部を抽出する条件、処理条件Ｃは、膝部における石膏ギプスを除去する条件、処理条件Ｄは、幼児の胸部におけるカテーテルを除去する条件である。これらの処理条件以外にも、物質固有の放射線吸収特性に基づき、例えば、身体中のガラス、プラスチック、金属等の異物を抽出し、又は、除去するための条件を設定することができる。なお、処理条件は、第１撮影条件（Ｓ1）及び第２撮影条件（Ｓ2）を固定とし、特定対象物及び撮影部位に応じて重み付け係数αのみを設定してもよい。同様に、重み付け係数αを固定とし、特定対象物及び撮影部位に応じて第１撮影条件（Ｓ1）及び第２撮影条件（Ｓ2）を設定してもよい。
【００１８】
図３は、放射線固体検出器１８の回路構成ブロック図である。放射線固体検出器１８は、センサ基板３８と、ゲート線駆動回路４４と、信号読出回路４６と、ゲート線駆動回路４４及び信号読出回路４６を制御するタイミング制御回路４８とを備える。
【００１９】
センサ基板３８は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量５３に蓄積した後、各行毎にＴＦＴ５２を順次オンにして、電荷を画像信号として読み出す。図３では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。各画素５０に接続されるＴＦＴ５２には、行方向と平行に延びるゲート線５４と、列方向と平行に延びる信号線５６とが接続される。各ゲート線５４は、ゲート線駆動回路４４に接続され、各信号線５６は、信号読出回路４６に接続される。
【００２０】
本実施形態の放射線画像処理装置１０は、基本的には以上のように構成されるものであり、次に、その動作について図４に示すフローチャートに基づいて説明する。
【００２１】
先ず、オペレータは、処理条件選択部２６を用いて、処理条件記憶部２４から所望の処理条件を選択する（ステップＳ１）。例えば、被写体１２の胸部における軟部組織の放射線画像情報を取得する場合、処理条件記憶部２４に記憶されている処理条件テーブル２２から処理条件Ａを選択する。
【００２２】
選択された処理条件のうち、第１撮影条件（Ｓ1）及び第２撮影条件（Ｓ2）が放射線源制御部１６に設定される（ステップＳ２）。
【００２３】
撮影条件が設定された放射線源制御部１６は、先ず、第１撮影条件（Ｓ1）に基づく管電圧及び管電流で放射線源１４を制御して放射線Ｘを被写体１２に照射することで、１ショット目の撮影を行う（ステップＳ３）。
【００２４】
被写体１２を透過した放射線Ｘは、放射線固体検出器１８のセンサ基板３８を構成する各画素５０の光電変換層５１によって電気信号に変換され、蓄積容量５３に電荷として蓄積される。次いで、各蓄積容量５３に蓄積された被写体１２の１ショット目の放射線画像情報Ｓ1である電荷情報は、タイミング制御回路４８からゲート線駆動回路４４及び信号読出回路４６に供給されるタイミング制御信号に従い、センサ基板３８から読み出される。
【００２５】
すなわち、ゲート線駆動回路４４は、タイミング制御回路４８からのタイミング制御信号に従ってゲート線５４の１つを選択し、選択されたゲート線５４に接続されている各ＴＦＴ５２のベースに駆動信号を供給する。一方、信号読出回路４６は、タイミング制御回路４８からのタイミング制御信号に従い、電荷検出回路５７に接続されている信号線５６を行方向に順次切り替えながら選択する。選択されたゲート線５４及び信号線５６に対応する画素５０の蓄積容量５３に蓄積された放射線画像情報Ｓ1に係る電荷情報は、画像信号として画像処理部２０に供給される。行方向に配列された各画素５０から画像信号が読み出された後、ゲート線駆動回路４４は、列方向の次のゲート線５４を選択して駆動信号を供給し、信号読出回路４６は、選択されたゲート線５４に接続されたＴＦＴ５２から同様にして画像信号を読み出す。以上の動作を繰り返すことにより、センサ基板３８に蓄積された二次元の放射線画像情報Ｓ1が読み出され、画像処理部２０に供給される（ステップＳ４）。
【００２６】
次いで、放射線源制御部１６は、第２撮影条件（Ｓ2）に基づく管電圧及び管電流で放射線源１４を制御して放射線Ｘを被写体１２に照射することで、２ショット目の撮影を行う（ステップＳ５）。この場合、２ショット目の撮影は、予め設定されている第２撮影条件（Ｓ2）に基づき、１ショット目の撮影に続き直ちに行われるため、１ショット目と２ショット目との撮影間において被写体１２が動くことによるモーションアーチファクトが生じることはない。
【００２７】
放射線固体検出器１８によって検出された２ショット目の放射線画像情報Ｓ2は、１ショット目の放射線画像情報Ｓ1と同様にして読み出され、画像処理部２０に供給される（ステップＳ６）。なお、１ショット目と２ショット目で仮に被写体１２が動いてしまった場合には、読み出された各放射線画像情報Ｓ1、Ｓ2の位置関係を補正した後、処理を継続する。
【００２８】
一方、画像処理部２０には、処理条件選択部２６により処理条件記憶部２４から選択された処理条件を構成する重み付け係数αが設定される（ステップＳ７）。
【００２９】
そこで、画像処理部２０は、放射線固体検出器１８から供給された放射線画像情報Ｓ１、Ｓ２と、処理条件記憶部２４から選択された重み付け係数αとを用いて、放射線画像情報Ｓを、
Ｓ＝α・Ｓ1＋Ｓ2
として算出する（ステップＳ８）。
【００３０】
算出された放射線画像情報Ｓは、表示制御部３０によって表示部２８に表示される（ステップＳ９）。この場合、表示部２８には、処理条件選択部２６によって選択された特定対象物が抽出された放射線画像、又は、特定対象物が除去された所望の放射線画像が表示される。なお、異物を抽出することのできる処理条件を設定して放射線画像情報を算出し表示することにより、例えば、被写体１２の体内にある異物を容易に検出することができる。
【００３１】
なお、本発明は、上述した実施形態に限定されるものではなく、本発明の主旨を逸脱しない範囲で自由に変更できることは勿論である。
【００３２】
例えば、照射された放射線Ｘを直接電荷情報に変換する放射線固体検出器１８に代えて、シンチレータによって放射線Ｘを一旦可視光に変換し、その可視光を電荷情報に変換する構成からなる放射線検出器を利用することもできる。また、放射線Ｘを静電潜像として蓄積した後、読取光を照射することで電荷情報として読み出す光読出方式の放射線検出器を利用することもできる。さらに、放射線エネルギを蛍光体に蓄積し、レーザビーム等の励起光を照射することで、蓄積された放射線エネルギに応じて輝尽発光する蓄積性蛍光体パネルを利用することもできる。
【図面の簡単な説明】
【００３３】
【図１】本実施形態に係る放射線画像処理装置の構成ブロック図である。
【図２】放射線画像処理装置の処理条件記憶部に記憶される処理条件テーブルの説明図である。
【図３】放射線検出器の回路構成ブロック図である。
【図４】放射線画像処理装置の動作フローチャートである。
【符号の説明】
【００３４】
１０…放射線画像処理装置
１２…被写体
１４…放射線源
１６…放射線源制御部
１８…放射線固体検出器
２０…画像処理部
２２…処理条件テーブル
２４…処理条件記憶部
２６…処理条件選択部
２８…表示部
３０…表示制御部
【図１】
2009077839.tif 000003
【図２】
2009077839.tif 000004
【図３】
2009077839.tif 000005
【図４】
2009077839.tif 000006